(57)【要約】  【課題】  安価に製造することが可能であると共に、装飾体に立体的な動きを伴わせることによって、視覚的効果を高めることができ、折り畳み及び組み立てが容易で各種商品を収容することができる贈答用商品収容箱を提供する。  【解決手段】  第１の蓋１と、商品収容部３とが一体的に形成された紙製の贈答用商品収容箱１０において、第１の蓋１の裏面１ａには、第１印刷部が形成されており、商品収容部３を構成する上面２ａには、第２印刷部が形成されており、第１の蓋１の裏面１ａと上面２ａとの間を架け渡すように、立体装飾部４が形成されており、立体装飾部４は、折り曲げ片と、この折り曲げ片に固定される装飾体４ｅ、４ｆ、４ｇ、４ｈとから構成され、折り曲げ片と装飾体４ｅ、４ｆ、４ｇ、４ｈは、第１の蓋１の開閉の動きに連動して動く構造となっている。【選択図】図１
0003206861.tif 000002
【実用新案登録請求の範囲】
【請求項１】
第１の蓋と、商品収容部とが一体的に形成され、折り畳みが可能な紙製の贈答用商品収容箱において、
前記第１の蓋の裏面には、第１印刷部が形成されており、
前記商品収容部を構成する上面には、第２印刷部が形成されており、
前記第１の蓋の裏面と前記上面との間を架け渡すように、立体装飾部が形成されており、
該立体装飾部は、折り曲げ片と、該折り曲げ片に固定される装飾体とから構成され、前記折り曲げ片と前記装飾体は、前記第１の蓋の開閉の動きに連動して動くことを特徴とする贈答用商品収容箱。
【請求項２】
第１の蓋は表面と裏面とが張り合わされて形成され、前記第１の蓋の裏面の縁辺を折り曲げ可能としつつ、該縁辺から商品収容部の上面が連続して一体的に形成されている構造であって、前記第１の蓋の裏面から前記上面にわたって、所定の間隔をあけて少なくとも２本の切り込みが形成されており、該２本の切り込みの両端部と中間部とが幅方向に折り曲げられることによって、立体装飾部の折り曲げ片となっていることを特徴とする請求項１に記載の贈答用商品収容箱。
【請求項３】
商品収容部を構成する側部には、贈答用の商品を収容するための開口が形成されていることを特徴とする請求項１又は２に記載の贈答用商品収容箱。
【請求項４】
商品収容部を構成する側部には、贈答用の商品を収容するための開口を開閉可能な第２の蓋が形成されていることを特徴とする請求項３に記載の贈答用商品収容箱。
【請求項５】
立体装飾部を構成する装飾体には、送り主の会社名と、連絡先が記載されていることを特徴とする請求項１〜４のいずれか１項に記載の贈答用商品収容箱。
【請求項６】
立体装飾部は、複数の折り曲げ片と、複数の装飾体とを有することを特徴とする請求項１〜５のいずれか１項に記載の贈答用商品収容箱。
【考案の詳細な説明】
【技術分野】
【０００１】
本考案は、ティッシュペーパーが収容されているティッシュボックスや、各種商品を収容する紙製の商品収容箱であって、主に、お年賀、クリスマス、ハロウィン等の各種イベントで販促品として配布することも可能な贈答用の商品収容箱に関するものである。
【背景技術】
【０００２】
従来から、ティッシュペーパーが収容されているティッシュボックスを収容する収容箱に関する考案は知られている（特許文献１）。この特許文献１に記載の考案は、収容箱のティッシュペーパー取り出し口近傍に、空洞のマスコット的立体像を固着して、この立体像の頂部からティッシュペーパーを取り出す構造となっている。
【０００３】
また、ティッシュボックスを収容する木製の収容箱の側板を額縁にして、この額縁に写真やポストカード等を交換可能に展示することができる溝を形成した構造のティッシュボックス収容箱も知られている（特許文献２）。
【０００４】
さらに、ティッシュボックスを収容する収容箱の上面に描かれた鳥等の図柄をポップアップすることによって、装飾的効果を奏させつつ、ティッシュペーパー取り出し口を形成することができる構造のティッシュボックス収容箱も知られている（特許文献３）。
【先行技術文献】
【特許文献】
【０００５】
【特許文献１】実開昭６２−３１０７４号公報
【特許文献２】実用新案登録第３０６７７５６号公報
【特許文献３】実用新案登録第３１６１２８４号公報
【考案の概要】
【考案が解決しようとする課題】
【０００６】
しかしながら、特許文献１に記載のティッシュボックス収容箱は、工場において、贈答品として量産する場合には、立体像の製作が高価になると共に、輸送時に嵩張るという課題を有していた。
【０００７】
また、特許文献２に記載の木製のティッシュボックス収容箱は、額縁の形成や溝の加工等により高価となるので、取引先にお年賀等で配る安価な商品としては適さないものであった。
【０００８】
一方、特許文献３に記載の紙製のティッシュボックス収容箱は、安価に製造することができるものではあるが、描かれている鳥等の図柄が動くものではないことから、さらに視覚的効果を高めると共に、ティッシュボックスを入れ替えて長期間使用してもらえるティッシュボックス収容箱を開発する必要があった。
【０００９】
また、ティッシュボックスに限らず、クリスマスやハロウィン等のイベントで各種商品を収容して販促品として配布することができると共に、折り畳み及び組み立てが容易な紙製の商品収容箱が必要とされていた。
【００１０】
本考案は、上記従来の考案が有する課題を解決するためになされたものであり、安価に製造することが可能であると共に、装飾体に立体的な動きを伴わせることによって、視覚的効果を高めることができ、折り畳み及び組み立てが容易で各種商品を収容することができる贈答用商品収容箱を提供することを目的とする。
【課題を解決するための手段】
【００１１】
請求項１の考案では、第１の蓋と、商品収容部とが一体的に形成され、折り畳みが可能な紙製の贈答用商品収容箱において、前記第１の蓋の裏面には、第１印刷部が形成されており、前記商品収容部を構成する上面には、第２印刷部が形成されており、前記第１の蓋の裏面と前記上面との間を架け渡すように、立体装飾部が形成されており、該立体装飾部は、折り曲げ片と、該折り曲げ片に固定される装飾体とから構成され、前記折り曲げ片と前記装飾体は、前記第１の蓋の開閉の動きに連動して動くことを特徴としている。
【００１２】
したがって、第１の蓋を開閉することによって、折り曲げ片と装飾体が動き、視覚的効果を高めることができる。また、折り畳みが可能な紙製であることから、折り畳み及び組み立てが容易で、運搬及び保管が嵩張らずに便利であると共に、安価に製造することができる。
【００１３】
また、請求項２の考案では、請求項１の考案において、第１の蓋は表面と裏面とが張り合わされて形成され、前記第１の蓋の裏面の縁辺を折り曲げ可能としつつ、該縁辺から商品収容部の上面が連続して一体的に形成されている構造であって、前記第１の蓋の裏面から前記上面にわたって、所定の間隔をあけて少なくとも２本の切り込みが形成されており、該２本の切り込みの両端部と中間部とが幅方向に折り曲げられることによって、立体装飾部の折り曲げ片となっていることを特徴としている。したがって、折り曲げ片の両端部を接着剤等によって第１の蓋と商品収容部の上面との間に固定する必要がなく、組み立てが容易であり、製造コストを低減することができる。
【００１４】
また、請求項３の考案では、請求項１又は２の考案において、商品収容部を構成する側部には、贈答用の商品を収容するための開口が形成されていることを特徴としている。したがって、折り畳まれた状態の贈答用商品収容箱と贈答用の商品とを別々に準備して、販売時や配布時に、贈答用商品収容箱を容易に組み立てることができると共に、贈答用商品収容箱の開口から贈答用の商品を挿入して、容易に収容することができる。
【００１５】
また、請求項４の考案では、請求項３の考案において、商品収容部を構成する側部には、贈答用の商品を収容するための開口を開閉可能な第２の蓋が形成されていることを特徴としている。したがって、贈答用の商品の側面の目隠しを行うことができるので、贈答用商品収容箱の色彩に一体感を与えることができる。また、第２の蓋によって、贈答用の商品が開口から外部に突出するのを防ぐことができる。
【００１６】
また、請求項５の考案では、請求項１〜４のいずれかの考案において、立体装飾部を構成する装飾体には、送り主の会社名と、連絡先が記載されていることを特徴としている。したがって、配布先の会社において、送り主の会社の宣伝を行うことができると共に、新たな仕事の依頼時に電話番号等を探す手間を省くことができる。
【００１７】
また、請求項６の考案では、請求項１〜５のいずれかの考案において、立体装飾部は、複数の折り曲げ片と、複数の装飾体とを有することを特徴としている。したがって、視覚的効果を一層高めることによって、商品価値を高めることができる。
【考案の効果】
【００１８】
請求項１の考案は、贈答用商品収容箱を安価に製造することができ、視覚的効果を高めることができると共に、商品価値を高めることができる。また、請求項２の考案は、製造コストを低減させることができる。さらに、請求項３〜６の考案は、贈答用商品収容箱の商品価値を一層高めることができる。
【図面の簡単な説明】
【００１９】
【図１】第１実施形態の贈答用商品収容箱の外観を示す斜視図である。
【図２】第１実施形態の贈答用商品収容箱を右側面方向から見た図である。
【図３】第１実施形態の贈答用商品収容箱の第１の蓋を閉じた状態を示す斜視図である。
【図４】第１実施形態の贈答用商品収容箱の展開図である。
【図５】装飾体を取り外した状態の第一実施形態の贈答用商品収容箱を示す斜視図である。
【図６】第２実施形態の贈答用商品収容箱を右側面方向から見た図である。
【図７】第２実施形態の贈答用商品収容箱の展開図である。
【図８】装飾体を印刷したシートを示す平面図である。
【考案を実施するための形態】
【００２０】
次に、本考案の実施形態を図面に基づいて説明する。図１は、第１実施形態の贈答用商品収容箱の外観を示す斜視図であり、図２は、右側面方向から見た図である。また、図３は、第１実施形態の贈答用商品収容箱の第１の蓋を閉じた状態を示す斜視図である。先ず、これらの図を用いて本考案に係る贈答用商品収容箱の第１実施形態の概要を説明する。
【００２１】
第１実施形態の贈答用商品収容箱１０は、厚紙等の紙製であって、第１の蓋１と、直方体状の商品収容部３とが一体的に形成されている。したがって、組み立てが容易であり、木製やプラスチック製と比較した場合に、非常に安価に製造することができる。また、第１の蓋１の裏面１ａは、第１印刷部が形成されており、この第１印刷部には、カレンダーが印刷されている。したがって、ティッシュペーパーを取り出す為に、第１の蓋１を開けた時には、カレンダーの印刷面が目に入りやすく、容易に日付と曜日を確認することができる。尚、第１の蓋１の表面１ｂには、「謹賀新年」の文字と、お正月をイメージさせるこま等の図柄が印刷されている。
【００２２】
また、第１の蓋１は表面１ｂと裏面１ａとが両面テープや接着剤等によって、張り合わされて形成され、第１の蓋１の裏面１ａの縁辺５を折り曲げ可能としつつ、縁辺５から商品収容部３を構成する上面２ａが連続して一体的に形成されている構造となっている。尚、符号１ｃは、第１の蓋１の裏面１ａ側の一部に切り込みを入れることによって形成された差し込み片であり、この差し込み片１ｃと対応する位置の商品収容部３には、切欠き３ｆが形成されている。そして、切欠き３ｆに差し込み片１ｃが差し込まれることによって、第１の蓋１の閉じた状態が維持される構成としている。
【００２３】
また、商品収容部３を構成する上面２ａは、第２印刷部が形成されており、この第２印刷部の中央には、ティッシュペーパーを取り出し可能な開口部１２ａが形成されている。また、商品収容部３を構成する長手方向の両側部には、ティッシュボックス等の贈答用の商品を収容するための開口（図示せず）が形成されており、この開口を開閉可能な第２の蓋６、６が、上面２ａに連続して一体的に形成されている。
【００２４】
本発明に係る贈答用商品収容箱１０は、第１の蓋１と、商品収容部３とが一体的に形成され、折り畳みが可能な紙製であることから、折り畳み及び組み立てが容易で、運搬及び保管が嵩張らずに便利であると共に、安価に製造することができる。また、開口を開閉可能な第２の蓋６、６が、商品収容部３の側面に形成されていることから、ティッシュボックスに限らず、各種贈答用商品を側面方向から出し入れすることができ、容易に取り扱うことができる。
【００２５】
尚、第１印刷部１ａに描かれる内容は、カレンダーに限定するものではない。また、第２印刷部２ａに描かれる内容も特に限定するものではなく、お年賀、クリスマス、ハロウィン等の各種イベントに対応させて様々な印刷内容とすることができる。また、第１印刷部１ａと第２印刷部２ａの印刷内容を連続又は統一させて一体感をもたせるようにしてもよい。また、第１の蓋１の表面１ｂの印刷内容も同様である。さらに、商品収容部３に収容される商品がティッシュボックスではない場合には、開口部１２ａを形成しなくてもよいものである。
【００２６】
また、第１の蓋１の裏面１ａと商品収容部３を構成する上面２ａとの間を架け渡すように、立体装飾部４が形成されており、立体装飾部４は、折り曲げ片４ａ〜４ｄと、折り曲げ片４ａ〜４ｄに固定される装飾体４ｅ〜４ｈとから構成され（図４及び図５参照）、折り曲げ片４ａ〜４ｄと装飾体４ｅ〜４ｈは、第１の蓋１の開閉の動きに連動して動く構造となっている。したがって、第１の蓋１を開閉することによって、折り曲げ片４ａ〜４ｄと装飾体４ｅ〜４ｈが動き、視覚的効果を高めることができる。
【００２７】
図４は、第１実施形態の贈答用商品収容箱の展開図である。図４に示すように、贈答用商品収容箱１０は、一枚の厚紙等によって、第１の蓋１と商品収容部３とが一体的に形成されている。具体的には、第１の蓋１の裏面１ａの一方の縁辺５を折り曲げ可能としつつ、縁辺５からを商品収容部３構成する上面２ａが連続して一体的に形成されており、第１の蓋１の裏面１ａの他方の縁辺７を折り曲げ可能としつつ、縁辺７から第１の蓋１の表面１ｂが連続して一体的に形成されている。さらに、第１の蓋１の表面１ｂの縁辺８を折り曲げ可能としつつ、縁辺８から商品収容部３を構成する側面３ｂが連続して一体的に形成されている。
【００２８】
そして、商品収容部３は、底面３ａと、この底面３ａの縁辺９ａから連続して一体的に形成された側面３ｃと、この側面３ｃの縁辺９ｂから連続して一体的に形成された上面２ａと、この上面２ａの長手方向両端部に連続して一体的に形成された第２の蓋６、６とから構成されている。尚、側面３ｂと側面３ｃの長手方向両端部には、耳片１１ｂ、１１ｂ、１１ｃ、１１ｃが連続して一体的に形成されており、第２の蓋６、６の端部には、係止片１１ａ、１１ａが連続して一体的に形成されている。また、底面３ａの端部には、貼着片１１ｄが連続して一体的に形成されている。そして、組み立て時には、破線で図示した折り曲げ箇所を所定の方向に折り曲げると共に、貼着片１１ｄを側面３ｂの内側の面の所定箇所に貼着することによって容易に組み立てることができる。
【００２９】
前述のように、第１の蓋１と商品収容部３とが一体的に形成されていると共に、商品収容部３を直方体状の箱型とし、第２の蓋６、６を箱の側面に配置したことから、従来製品と比較して短時間で組み立てることができると共に、ティッシュボックスに限らず、各種贈答用商品を側面方向から出し入れすることができ、容易に取り扱うことができる。
【００３０】
図５は、装飾体を取り外した状態の本考案に係る贈答用商品収容箱を示す斜視図である。折り曲げ片４ａ〜４ｄは、第１の蓋１の裏面１ａから商品収容部３を構成する上面２ａにわたって、所定の間隔をあけて２本の切り込みが形成されており、この２本の切り込みの両方の端部１３ａ、１３ｃと中間部１３ｂとが幅方向に折り曲げられることによって形成される。尚、両方の端部１３ａ、１３ｃは、谷折りに折り曲げられ、中間部１３ｂは、山折りに折り曲げられている。
【００３１】
ここで、折り曲げ片４ａ〜４ｄの中間部１３ｂの折り曲げ線は、縁辺５に対して平行となるように折り曲げられているが、折り曲げ片４ａ、４ｃ、４ｄの両方の端部１３ａ、１３ｃの折り曲げ線は、縁辺５に対して傾斜させている。具体的には、折り曲げ片４ａ、４ｃ、４ｄの両方の端部１３ａ、１３ｃの折り曲げ線は、折り曲げ片４ｂに近い側が縁辺５に近づくように傾斜させている。一方、縁辺５の長手方向の略中央付近に位置する折り曲げ片４ｂは、中間部１３ｂの折り曲げ線及び、両方の端部１３ａ、１３ｃの折り曲げ線を、縁辺５に対して平行となるように折り曲げられている。
【００３２】
折り曲げ片４ａ、４ｃ、４ｄを前述のように構成することによって、折り曲げ片４ａ、４ｃ、４ｄに装飾体が固定された状態で、第１の蓋１が閉じられている場合には、折り曲げ片４ａ、４ｃ、４ｄに固定されている装飾体が、折り曲げ片４ｂに近づいた状態となっている。そして、第１の蓋１を開ける動作に連動して、折り曲げ片４ａ、４ｃ、４ｄに固定されている装飾体が、折り曲げ片４ｂから離れる方向に動くように見えることとなる。これにより、視覚的効果を一層高めることができる。
【００３３】
図６は、第２実施形態の贈答用商品収容箱を右側面方向から見た図であり、図７は、第２実施形態の贈答用商品収容箱の展開図である。これらの図に示すように、第２実施形態の贈答用商品収容箱１０ａは、第１実施形態の贈答用商品収容箱１０を構成する第２の蓋６、６と、この第２の蓋６、６の端部に連続して一体的に形成されている係止片１１ａ、１１ａと、耳片１１ｂ、１１ｂ、１１ｃ、１１ｃとを有していない。したがって、第２実施形態の贈答用商品収容箱１０ａの商品収容部３を構成する長手方向の両側部には、ティッシュボックス等の商品を収容するための開口３ｄが露出した状態となっている。これにより、贈答用商品収容箱１０ａの開口３ｄからティッシュボックス等の商品を挿入して、容易に収容することができる。
【００３４】
図８は、装飾体を印刷したシートを示す平面図である。シート１４には、装飾体４ｅ〜４ｈが印刷されており、各々の装飾体の外縁にはミシン目が形成された切取り部１５を備えている。したがって、本考案に係る贈答用商品収容箱の製作時には、シート１４から装飾体４ｅ〜４ｈを取り出し、裏面に両面テープを貼って、各々の折り曲げ片４ａ〜４ｄに固定すればよいので、短時間で贈答用商品収容箱を組み立てることができる。
【００３５】
装飾体４ｅ、４ｇ、４ｈには、十二支を構成する動物のキャラクターの一つである猿が描かれている。このように、来年の干支に対応する動物のキャラクターを装飾体に描くことによって、年末に取引先に配るカレンダーの代わりとしての商品価値を与えることができる。また、装飾体４ｈに示すように、送り主の会社名と、連絡先を記載することもできる。これにより、配布先の会社において、送り主の会社の宣伝を行うことができると共に、新たな仕事の依頼時に電話番号等を探す手間を省くことができる。また、図示してはいないが、装飾体に送り主の職業を連想させるアイテムを描くこともできる。例えば、送り主が工事業者であれば、黄色のヘルメットを装飾体に描くことにより、送り主の職業を印象付けることができる。
【００３６】
また、装飾体４ｅ〜４ｈは、前述のように、十二支を構成する動物のキャラクターに限定するものではなく、クリスマス用の贈答品の場合には、サンタクロースやトナカイ等のキャラクターを採用することができる。また、ハロウィン用の贈答品の場合には、魔法使いやかぼちゃ等のキャラクターを採用することができ、各種イベントに対応させて、装飾体４ｅ〜４ｈに描くキャラクターを選択することができる。
【産業上の利用可能性】
【００３７】
本考案の贈答用商品収容箱は、ティッシュペーパーが収容されているティッシュボックスや、各種商品を収容する紙製の商品収容箱であって、主に、お年賀、クリスマス、ハロウィン等の各種イベントで販促品として配布するために使用される。
【符号の説明】
【００３８】
１  第１の蓋
１ａ  裏面（第１印刷部）
１ｂ  表面
１ｃ  差し込み片
２ａ  上面（第２印刷部）
３  商品収容部
３ａ  底面
３ｂ、３ｃ  側面
３ｄ  開口
３ｆ  切欠き
４  立体装飾部
４ａ〜４ｄ  折り曲げ片
４ｅ〜４ｈ  装飾体
５、７、８、９ａ、９ｂ  縁辺
６  第２の蓋
１０、１０ａ  贈答用商品収容箱
１１ａ  係止片
１１ｂ、１１ｃ  耳片
１１ｄ  貼着片
１２ａ  開口部
１３ａ、１３ｃ  端部
１３ｂ  中間部
１４  シート
１５  切取り部
【図１】
0003206861.tif 000003
【図２】
0003206861.tif 000004
【図３】
0003206861.tif 000005
【図４】
0003206861.tif 000006
【図５】
0003206861.tif 000007
【図６】
0003206861.tif 000008
【図７】
0003206861.tif 000009
【図８】
0003206861.tif 000010